【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
マルチモード誘導結合プラズマ質量分析計（ＩＣＰ−ＭＳ）の自動化された同調最適化のためのシステムであって、前記システムは、
マルチモード誘導結合プラズマ質量分析計（ＩＣＰ−ＭＳ）と、
プロセッサ、および命令をその上に記憶する非一過性コンピュータ可読媒体であって、前記命令は、実行されると、前記プロセッサに、
前記ＩＣＰ−ＭＳ上で行われるべき最適化に関するユーザデータ入力を受信することであって、前記ユーザデータ入力は、前記ＩＣＰ−ＭＳが動作されるべき１つまたは複数の選択された動作モードの識別を含む、ことと、
前記ＩＣＰ−ＭＳに対する自動化された最適化ルーチンを始動させるためのユーザ入力を受信することと、
前記ルーチンを始動させるためのユーザ入力の受信に続き、前記自動化された最適化ルーチンを行うための信号を前記ＩＣＰ−ＭＳに伝送することであって、前記自動化された最適化ルーチンは、前記プロセッサによって定められたシーケンス内で行われる複数のステップを含む、ことと
を行わせる、プロセッサおよび非一過性コンピュータ可読媒体と
を備える、システム。
【請求項２】
前記１つまたは複数のモードは、（ａ）通気セルモード、（ｂ）反応セルモード、および（ｃ）衝突セルモードのうちの１つ、２つ、または全３つを含む、請求項１に記載のシステム。
【請求項３】
前記ルーチンを始動させるためのユーザ入力は、グラフィカルユーザインターフェースウィジェットの「単回クリック」、キーストローク、スワイプ、および選択から成る群から選択される少なくとも１つのアクションを含む、請求項１または請求項２に記載のシステム。
【請求項４】
前記自動化された最適化ルーチンは、ＩＣＰ−ＭＳ性能査定サブシーケンスを含み、前記サブシーケンスは、第１の性能査定を自動的に実施し、次いで、前記第１の査定が満足のいくものである場合、第２の性能査定を実施し、逆に、前記第１の査定が満足のいかないものである場合、前記サブシーケンスを終了し、前記性能査定が失敗したと識別するステップを含み、前記第１の性能査定は、前記第２の性能査定より少ないステップを含有し、実施するためにかかる時間が短い、請求項１−３のいずれか１つに記載のシステム。
【請求項５】
前記自動化された最適化ルーチンは、複数のレベルを備え、各レベルは、それと関連付けられたステップを有し、前記ルーチンは、所与のレベルにおける先行ステップの完了時に行われる性能査定サブシーケンスが、失敗したと識別される場合、前記所与のレベルから後続レベルに進むようにプログラムされ、逆に、前記所与のレベルにおける前記先行ステップの完了時に行われる性能査定サブシーケンスが、満足がいくものと識別される場合、前記ルーチンは、前記最適化を終了するようにプログラムされる、請求項４に記載のシステム。
【請求項６】
前記自動化された最適化ルーチンは、（ｉ）前記質量分析計に対する、誘導結合プラズマを発生させるトーチの調節／整合、（ｉｉ）四重極イオン偏向器（ＱＩＤ）の較正、（ｉｉｉ）四重極ロッドオフセット（ＱＲＯ）、（ｉｖ）噴霧器ガス流最適化、（ｖ）セルロッドオフセット（ＣＲＯ）最適化、（ｖｉ）セル入口および／または出口最適化、（ｖｉｉ）質量較正、および（ｖｉｉｉ）検出器最適化から成る群から選択される１つまたは複数のステップを含む、請求項１−５のいずれか１つに記載のシステム。
【請求項７】
前記自動化された最適化ルーチンは、
（ｉ）噴霧器ガス流最適化ステップ、および（ｉｉ）四重極イオン偏向器（ＱＩＤ）の較正ステップの一方または両方を含み、前記最適化ルーチンは、ステップ（ｉ）および／またはステップ（ｉｉ）と関連付けられた動的範囲最適化サブシーケンスを含み、
前記動的範囲最適化サブシーケンスは、前記ＩＣＰ−ＭＳの前の最適化において識別された設定の記憶される値から判定される所定の初期範囲内の関連付けられた設定を調節することによって前記関連付けられた最適化ステップを始動させ、最適化基準が前記所定の初期範囲内で満たされない場合、改良された性能の方向における新しい範囲を自動的に識別し、前記最適化基準が満たされるまで、後続の新しい範囲を識別し続け、次いで、後の使用のために前記対応する設定を記録するステップを含む、請求項１−６のいずれか１つに記載のシステム。
【請求項８】
前記自動化された最適化ルーチンは、（ｉ）セルロッドオフセット（ＣＲＯ）ステップ、および（ｉｉ）セル入口／出口ステップの一方または両方を含み、前記最適化ルーチンは、ステップ（ｉ）および／またはステップ（ｉｉ）と関連付けられた正規化サブルーチンを含み、前記正規化サブルーチンは、複数の検体毎に、ある範囲の電圧にわたって、前記ＩＣＰ−ＭＳから判定されたパルス強度を正規化し、次いで、前記正規化された値を使用して、前記最適化された設定を識別することによって、前記ステップと関連付けられた最適化された設定を識別するステップを含む、請求項１−７のいずれか１つに記載のシステム。
【請求項９】
前記正規化サブルーチンは、前記個別の電圧における前記正規化された値を乗算し、前記結果から最良妥協点を識別し、それによって、前記最適化された設定を識別するステップをさらに含む、請求項８に記載のシステム。
【請求項１０】
前記システムは、オートサンプラをさらに備え、前記自動化された最適化ルーチンは、（ｉ）前記最適化ルーチンの間、第１の検体溶液の使用が中止され、第２の検体溶液の使用が始動されるべき場合、そのときを識別するステップと、（ｉｉ）前記第１の検体溶液が中止され、前記第２の検体溶液の使用が始動されるべきとの識別に応じて、信号を伝送し、前記オートサンプラを介して、前記ＩＣＰ−ＭＳの最適化ルーチンにおいて、前記第２の検体溶液の自動化された導入を始動させるステップとを含む、スマートサンプリングサブルーチンを含む、請求項１−９のいずれか１つに記載のシステム。
【請求項１１】
前記自動化された最適化ルーチンは、前記プロセッサによって、グラフィカルユーザインターフェース上への提示のために、前記自動化された最適化ルーチンにおいて行われている１つまたは複数のステップを表すグラフィカルおよび／または英数字出力をレンダリングするステップを含む、請求項１−１０のいずれか１つに記載のシステム。
【請求項１２】
前記自動化された最適化ルーチンは、前記対応する１つまたは複数のステップが前記自動化された最適化ルーチンの間に行われるにつれて、前記グラフィカルおよび／または英数字出力を前記グラフィカルユーザインターフェース上にリアルタイムで表示するステップを含む、請求項１１に記載のシステム。
【請求項１３】
前記最適化に関するユーザデータ入力は、セルガス流率のインジケーションをさらに含む、請求項１−１２のいずれか１つに記載のシステム。
【請求項１４】
マルチモード誘導結合プラズマ質量分析計（ＩＣＰ−ＭＳ）の自動化された同調最適化のための方法であって、前記方法は、
コンピューティングデバイスのプロセッサによって、前記マルチモードＩＣＰ−ＭＳ上で行われるべき最適化に関するユーザデータ入力を受信するステップであって、前記ユーザデータ入力は、前記ＩＣＰ−ＭＳが動作されるべき１つまたは複数の選択された動作モードの識別を含む、ステップと、
前記プロセッサによって、前記ＩＣＰ−ＭＳに対して自動化された最適化ルーチンを始動させるためのユーザ入力を受信するステップと、
前記ルーチンを始動させるためのユーザ入力の受信に続き、前記プロセッサによって、前記自動化された最適化ルーチンを行うための信号を前記ＩＣＰ−ＭＳに伝送するステップであって、前記自動化された最適化ルーチンは、前記プロセッサによって定められたシーケンス内で行われる複数のステップを含む、ステップと
を含む、方法。
【請求項１５】
前記１つまたは複数のモードは、（ａ）通気セルモード、（ｂ）反応セルモード、および（ｃ）衝突セルモードのうちの１つ、２つ、または全３つを含む、請求項１４に記載の方法。
【請求項１６】
前記ルーチンを始動させるためのユーザ入力は、グラフィカルユーザインターフェースウィジェットの「単回クリック」、キーストローク、スワイプ、および選択から成る群から選択される少なくとも１つのアクションを含む、請求項１４または請求項１５に記載の方法。
【請求項１７】
前記自動化された最適化ルーチンを行うステップをさらに含む、請求項１４−１６のいずれか１つに記載の方法。
【請求項１８】
前記自動化された最適化ルーチンを行うステップは、前記自動化された最適化ルーチンの間、前記ＩＣＰ−ＭＳの１つまたは複数の設定を自動的に調節するステップを含む、請求項１７に記載の方法。
【請求項１９】
前記自動化された最適化ルーチンは、ＩＣＰ−ＭＳ性能査定サブシーケンスを含み、前記サブシーケンスは、第１の性能査定を自動的に実施し、次いで、前記第１の査定が満足のいくものである場合、第２の性能査定を実施し、逆に、前記第１の査定が満足のいかないものである場合、前記サブシーケンスを終了し、前記性能査定が失敗したと識別するステップを含み、前記第１の性能査定は、前記第２の性能査定より少ないステップを含有し、実施するためにかかる時間が短い、請求項１４−１８のいずれか１つに記載の方法。
【請求項２０】
前記自動化された最適化ルーチンは、複数のレベルを備え、各レベルは、それと関連付けられたステップを有し、前記ルーチンは、所与のレベルにおける先行ステップの完了時に行われる性能査定サブシーケンスが、失敗したと識別される場合、前記所与のレベルから後続レベルに進むようにプログラムされ、逆に、前記所与のレベルにおける前記先行ステップの完了時に行われる性能査定サブシーケンスが、満足がいくものと識別される場合、前記ルーチンは、前記最適化を終了するようにプログラムされる、請求項１９に記載の方法。
【請求項２１】
前記自動化された最適化ルーチンは、（ｉ）前記質量分析計に対する、誘導結合プラズマを発生させるトーチの調節／整合、（ｉｉ）四重極イオン偏向器（ＱＩＤ）の較正、（ｉｉｉ）四重極ロッドオフセット（ＱＲＯ）、（ｉｖ）噴霧器ガス流最適化、（ｖ）セルロッドオフセット（ＣＲＯ）最適化、（ｖｉ）セル入口および／または出口最適化、（ｖｉｉ）質量較正、および（ｖｉｉｉ）検出器最適化から成る群から選択される１つまたは複数のステップを含む、請求項１４−２０のいずれか１つに記載の方法。
【請求項２２】
前記自動化された最適化ルーチンは、（ｉ）噴霧器ガス流最適化ステップ、および（ｉｉ）四重極イオン偏向器（ＱＩＤ）の較正ステップの一方または両方を含み、前記最適化ルーチンは、ステップ（ｉ）および／または（ｉｉ）と関連付けられた動的範囲最適化サブシーケンスを含み、前記動的範囲最適化サブシーケンスは、前記ＩＣＰ−ＭＳの前の最適化において識別された設定の記憶される値から判定される所定の初期範囲内の関連付けられた設定を調節することによって、前記関連付けられた最適化ステップを始動させ、最適化基準が前記所定の初期範囲内で満たされない場合、改良された性能の方向における新しい範囲を自動的に識別し、前記最適化基準が満たされるまで、後続の新しい範囲を識別し続け、次いで、後の使用のために前記対応する設定を記録するステップとを含む、請求項１４−２１のいずれか１つに記載の方法。
【請求項２３】
前記自動化された最適化ルーチンは、（ｉ）セルロッドオフセット（ＣＲＯ）ステップ、および（ｉｉ）セル入口／出口ステップの一方または両方を含み、前記最適化ルーチンは、ステップ（ｉ）および／または（ｉｉ）と関連付けられた正規化サブルーチンを含み、前記正規化サブルーチンは、複数の検体毎に、ある範囲の電圧にわたって、前記ＩＣＰ−ＭＳから判定されたパルス強度を正規化し、次いで、前記正規化された値を使用して、前記最適化された設定を識別することによって、前記ステップと関連付けられた最適化された設定を識別するステップを含む、請求項１４−２２のいずれか１つに記載の方法。
【請求項２４】
前記正規化サブルーチンは、前記個別の電圧における前記正規化された値を乗算し、前記結果から最良妥協点を識別し、それによって、前記最適化された設定を識別するステップをさらに含む、請求項２３に記載の方法。
【請求項２５】
前記ＩＣＰ−ＭＳは、オートサンプラを備え、前記自動化された最適化ルーチンは、（ｉ）前記最適化ルーチンの間、第１の検体溶液の使用が中止され、第２の検体溶液の使用が始動されるべき場合、そのときを識別するステップと、（ｉｉ）前記第１の検体溶液が中止され、前記第２の検体溶液の使用が始動されるべきとの識別に応じて、信号を伝送し、前記オートサンプラを介して、前記ＩＣＰ−ＭＳの最適化ルーチンにおいて、前記第２の検体溶液の自動化された導入を始動させるステップとを含む、スマートサンプリングサブルーチンを含む、請求項１４−２４のいずれか１つに記載の方法。
【請求項２６】
前記プロセッサによって、グラフィカルユーザインターフェース上への提示のために、前記自動化された最適化ルーチン内で行われている１つまたは複数のステップを表すグラフィカルおよび／または英数字出力をレンダリングするステップを含む、請求項１４−２５のいずれか１つに記載の方法。
【請求項２７】
前記対応する１つまたは複数のステップが前記自動化された最適化ルーチンの間に行われるにつれて、前記グラフィカルおよび／または英数字出力を前記グラフィカルユーザインターフェース上にリアルタイムで表示するステップを含む、請求項２６に記載の方法。
【請求項２８】
前記最適化に関するユーザデータ入力は、セルガス流率のインジケーションをさらに含む、請求項１４−２７のいずれか１つに記載の方法。
【請求項２９】
その上に記憶される命令を有する非一過性コンピュータ可読媒体であって、前記命令は、プロセッサによって実行されると、前記プロセッサに、
マルチモード誘導結合プラズマ質量分析計（ＩＣＰ−ＭＳ）上で行われるべき最適化に関するユーザデータ入力を受信することであって、前記ユーザデータ入力は、前記ＩＣＰ−ＭＳが動作されるべき１つまたは複数の選択された動作モードの識別を含む、ことと、
前記ＩＣＰ−ＭＳに対する自動化された最適化ルーチンを始動させるためのユーザ入力を受信することと、
前記ルーチンを始動させるためのユーザ入力の受信に続き、前記自動化された最適化ルーチンを行うための信号を前記ＩＣＰ−ＭＳに伝送することであって、前記自動化された最適化ルーチンは、前記プロセッサによって定められたシーケンス内で行われる複数のステップを含む、ことと
を行わせる、非一過性コンピュータ可読媒体。
【請求項３０】
前記１つまたは複数のモードは、（ａ）通気セルモード、（ｂ）反応セルモード、および（ｃ）衝突セルモードのうちの１つ、２つ、または全３つを含む、請求項２９に記載の非一過性コンピュータ可読媒体。
【請求項３１】
前記ルーチンを始動させるためのユーザ入力は、グラフィカルユーザインターフェースウィジェットの「単回クリック」、キーストローク、スワイプ、および選択から成る群から選択される少なくとも１つのアクションを含む、請求項２９または請求項３０に記載の非一過性コンピュータ可読媒体。
【請求項３２】
前記自動化された最適化ルーチンは、ＩＣＰ−ＭＳ性能査定サブシーケンスを含み、前記サブシーケンスは、第１の性能査定を自動的に実施し、次いで、前記第１の査定が満足のいくものである場合、第２の性能査定を実施し、逆に、前記第１の査定が満足のいかないものである場合、前記サブシーケンスを終了し、前記性能査定が失敗したと識別するステップを含み、前記第１の性能査定は、前記第２の性能査定より少ないステップを含有し、実施するためにかかる時間が短い、請求項２９−３１のいずれか１つに記載の非一過性コンピュータ可読媒体。
【請求項３３】
前記自動化された最適化ルーチンは、複数のレベルを備え、各レベルは、それと関連付けられたステップを有し、前記ルーチンは、所与のレベルにおける先行ステップの完了時に行われる性能査定サブシーケンスが、失敗したと識別される場合、前記所与のレベルから後続レベルに進むようにプログラムされ、逆に、前記所与のレベルにおける前記先行ステップの完了時に行われる性能査定サブシーケンスが、満足がいくものと識別される場合、前記ルーチンは、前記最適化を終了するようにプログラムされる、請求項３２に記載の非一過性コンピュータ可読媒体。
【請求項３４】
前記自動化された最適化ルーチンは、（ｉ）前記質量分析計に対する、誘導結合プラズマを発生させるトーチの調節／整合、（ｉｉ）四重極イオン偏向器（ＱＩＤ）の較正、（ｉｉｉ）四重極ロッドオフセット（ＱＲＯ）、（ｉｖ）噴霧器ガス流最適化、（ｖ）セルロッドオフセット（ＣＲＯ）最適化、（ｖｉ）セル入口および／または出口最適化、（ｖｉｉ）質量較正、および（ｖｉｉｉ）検出器最適化から成る群から選択される１つまたは複数のステップを含む、請求項２９−３３のいずれか１つに記載の非一過性コンピュータ可読媒体。
【請求項３５】
前記自動化された最適化ルーチンは、（ｉ）噴霧器ガス流最適化ステップ、および（ｉｉ）四重極イオン偏向器（ＱＩＤ）の較正ステップの一方または両方を含み、前記最適化ルーチンは、ステップ（ｉ）および／または（ｉｉ）と関連付けられた動的範囲最適化サブシーケンスを含み、前記動的範囲最適化サブシーケンスは、前記ＩＣＰ−ＭＳの前の最適化において識別された設定の記憶される値から判定される所定の初期範囲内の関連付けられた設定を調節することによって、前記関連付けられた最適化ステップを始動させ、最適化基準が前記所定の初期範囲内で満たされない場合、改良された性能の方向における新しい範囲を自動的に識別し、前記最適化基準が満たされるまで、後続の新しい範囲を識別し続け、次いで、後の使用のために前記対応する設定を記録するステップを含む、請求項２９−３４のいずれか１つに記載の非一過性コンピュータ可読媒体。
【請求項３６】
前記自動化された最適化ルーチンは、（ｉ）セルロッドオフセット（ＣＲＯ）ステップ、および（ｉｉ）セル入口／出口ステップの一方または両方を含み、前記最適化ルーチンは、ステップ（ｉ）および／または（ｉｉ）と関連付けられた正規化サブルーチンを含み、前記正規化サブルーチンは、複数の検体毎に、ある範囲の電圧にわたって、前記ＩＣＰ−ＭＳから判定されたパルス強度を正規化し、次いで、前記正規化された値を使用して、前記最適化された設定を識別することによって、前記ステップと関連付けられた最適化された設定を識別するステップを含む、請求項２９−３５のいずれか１つに記載の非一過性コンピュータ可読媒体。
【請求項３７】
前記正規化サブルーチンは、前記個別の電圧における前記正規化された値を乗算し、前記結果から最良妥協点を識別し、それによって、前記最適化された設定を識別するステップをさらに含む、請求項２９−３６のいずれか１つに記載の非一過性コンピュータ可読媒体。
【請求項３８】
前記ＩＣＰ−ＭＳは、オートサンプラを備え、前記自動化された最適化ルーチンは、（ｉ）前記最適化ルーチンの間、第１の検体溶液の使用が中止され、第２の検体溶液の使用が始動されるべき場合、そのときを識別するステップと、（ｉｉ）前記第１の検体溶液が中止され、前記第２の検体溶液の使用が始動されるべきとの識別に応じて、信号を伝送し、前記オートサンプラを介して、前記ＩＣＰ−ＭＳの最適化ルーチンにおいて、前記第２の検体溶液の自動化された導入を始動させるステップとを含む、スマートサンプリングサブルーチンを含む、請求項２９−３７のいずれか１つに記載の非一過性コンピュータ可読媒体。
【請求項３９】
前記自動化された最適化ルーチンは、前記プロセッサによって、グラフィカルユーザインターフェース上への提示のために、前記自動化された最適化ルーチン内で行われている１つまたは複数のステップを表すグラフィカルおよび／または英数字出力をレンダリングするステップを含む、請求項２９−３８のいずれか１つに記載の非一過性コンピュータ可読媒体。
【請求項４０】
前記自動化された最適化ルーチンは、前記対応する１つまたは複数のステップが前記自動化された最適化ルーチンの間に行われるにつれて、前記グラフィカルおよび／または英数字出力を前記グラフィカルユーザインターフェース上にリアルタイムで表示するステップを含む、請求項２９−３９のいずれか１つに記載の非一過性コンピュータ可読媒体。
【請求項４１】
前記最適化に関するユーザデータ入力は、セルガス流率のインジケーションをさらに含む、請求項２９−４０のいずれか１つに記載の非一過性コンピュータ可読媒体。
【手続補正２】
【補正対象書類名】明細書
【補正対象項目名】００６１
【補正方法】変更
【補正の内容】
【００６１】
本発明の所与の側面に関して説明される実施形態の要素は、本発明の別の側面の種々の実施形態において使用されてもよい。例えば、ある独立請求項に従属する従属請求項の特徴は、他の独立請求項のいずれかの装置および／または方法において使用されることができることが検討される。
本発明は、例えば、以下を提供する。
（項目１）
マルチモード誘導結合プラズマ質量分析計（ＩＣＰ−ＭＳ）の自動化された最適化（同調）のためのシステムであって、前記システムは、
マルチモード誘導結合プラズマ質量分析計（ＩＣＰ−ＭＳ）と、
プロセッサおよび命令をその上に記憶する非一過性コンピュータ可読媒体であって、前記命令は、実行されると、前記プロセッサに、
前記ＩＣＰ−ＭＳ上で行われるべき最適化に関するユーザデータ入力を受信することであって、前記ユーザデータ入力は、前記ＩＣＰ−ＭＳが動作されるべき１つまたはそれを上回る選択された動作モードの識別を含む、ことと、
前記ＩＣＰ−ＭＳに対する自動化された最適化ルーチンを始動させるためのユーザ入力を受信することと、
前記ルーチンを始動させるためのユーザ入力の受信に続き、前記自動化された最適化ルーチンを行うための信号を前記ＩＣＰ−ＭＳに伝送することであって、前記自動化された最適化ルーチンは、前記プロセッサによって定められたシーケンス内で行われる複数のステップを含む、ことと
を行わせる、プロセッサおよび非一過性コンピュータ可読媒体と
を備える、システム。
（項目２）
前記１つまたはそれを上回るモードは、（ａ）通気セルモード、（ｂ）反応セルモード、および（ｃ）衝突セルモードのうちの１つ、２つ、または全３つを含む、項目１に記載のシステム。
（項目３）
前記ルーチンを始動させるためのユーザ入力は、グラフィカルユーザインターフェースウィジェットの「単回クリック」、キーストローク、スワイプ、および選択から成る群から選択される、少なくとも１つのアクションを含む、項目１または２に記載のシステム。
（項目４）
前記自動化された最適化ルーチンは、ＩＣＰ−ＭＳ性能査定サブシーケンスを含み、前記サブシーケンスは、第１の性能査定を自動的に実施し、次いで、前記第１の査定が満足のいくものである場合、第２の性能査定を実施し、逆に、前記第１の査定が満足のいかないものである場合、前記サブシーケンスを終了し、前記性能査定が失敗したと識別するステップを含み、前記第１の性能査定は、前記第２の性能査定より少ないステップを含有し、実施するためにかかる時間が短い、前記項目のいずれか１つに記載のシステム。
（項目５）
前記自動化された最適化ルーチンは、複数のレベルを備え、各レベルは、それと関連付けられたステップを有し、前記ルーチンは、所与のレベルにおける先行ステップの完了時に行われる性能査定サブシーケンスが、失敗したと識別される場合、前記所与のレベルから後続レベルに進むようにプログラムされ、逆に、前記所与のレベルにおける前記先行ステップの完了時に行われる性能査定サブシーケンスが、満足がいくものと識別される場合、前記ルーチンは、前記最適化を終了するようにプログラムされる、項目４に記載のシステム。
（項目６）
前記自動化された最適化ルーチンは、（ｉ）前記質量分析計に対するトーチ（誘導結合プラズマ）の調節／整合、（ｉｉ）四重極イオン偏向器（ＱＩＤ）の較正、（ｉｉｉ）四重極ロッドオフセット（ＱＲＯ）、（ｉｖ）噴霧器ガス流最適化、（ｖ）セルロッドオフセット（ＣＲＯ）最適化、（ｖｉ）セル入口および／または出口最適化、（ｖｉｉ）質量較正、および（ｖｉｉｉ）検出器最適化から成る群から選択される１つまたはそれを上回るステップを含む、前記項目のいずれか１つに記載のシステム。
（項目７）
前記自動化された最適化ルーチンは、
（ｉ）噴霧器ガス流最適化ステップ、および（ｉｉ）四重極イオン偏向器（ＱＩＤ）の較正ステップの一方または両方を含み、前記最適化ルーチンは、ステップ（ｉ）および／または（ｉｉ）と関連付けられた動的範囲最適化サブシーケンスを含み、
前記動的範囲最適化サブシーケンスは、前記ＩＣＰ−ＭＳの前の最適化において識別された設定の記憶される値から判定される所定の初期範囲内の関連付けられた設定を調節することによって前記関連付けられた最適化ステップを始動させ、最適化基準が前記所定の初期範囲内で満たされない場合、改良された性能の方向における新しい範囲を自動的に識別し、前記最適化基準が満たされるまで、後続の新しい範囲を識別し続け、次いで、後の使用のために前記対応する設定を記録するステップを含む、前記項目のいずれか１つに記載のシステム。
（項目８）
前記自動化された最適化ルーチンは、（ｉ）セルロッドオフセット（ＣＲＯ）ステップ、および（ｉｉ）セル入口／出口ステップの一方または両方を含み、前記最適化ルーチンは、ステップ（ｉ）および／または（ｉｉ）と関連付けられた正規化サブルーチンを含み、前記正規化サブルーチンは、複数の検体毎に、ある範囲の電圧にわたって、前記ＩＣＰ−ＭＳから判定されたパルス強度を正規化し、次いで、前記正規化された値を使用して、前記最適化された設定を識別することによって、前記ステップと関連付けられた最適化された設定を識別するステップを含む、前記項目のいずれか１つに記載のシステム。
（項目９）
前記正規化サブルーチンはさらに、前記個別の電圧における前記正規化された値を乗算し、前記結果から最良妥協点を識別し、それによって、前記最適化された設定を識別するステップを含む、項目８に記載のシステム。
（項目１０）
前記システムはさらに、オートサンプラを備え、前記自動化された最適化ルーチンは、（ｉ）前記最適化ルーチンの間、第１の検体溶液の使用が中止され、第２の検体溶液の使用が始動されるべき場合、そのときを識別するステップと、（ｉｉ）前記第１の検体溶液が中止され、前記第２の検体溶液の使用が始動されるべきとの識別に応じて、信号を伝送し、前記オートサンプラを介して、前記ＩＣＰ−ＭＳの最適化ルーチンにおいて、前記第２の検体溶液の自動化された導入を始動させるステップとを含む、スマートサンプリングサブルーチンを含む、前記項目のいずれか１つに記載のシステム。
（項目１１）
前記自動化された最適化ルーチンは、前記プロセッサによって、グラフィカルユーザインターフェース（例えば、電子画面）上への提示のために、前記自動化された最適化ルーチンにおいて行われている１つまたはそれを上回るステップを表すグラフィカルおよび／または英数字出力をレンダリングするステップを含む、前記項目のいずれか１つに記載のシステム。
（項目１２）
前記自動化された最適化ルーチンは、前記対応する１つまたはそれを上回るステップが前記自動化された最適化ルーチンの間に行われるにつれて、前記グラフィカルおよび／または英数字出力を前記グラフィカルユーザインターフェース上にリアルタイムで表示するステップを含む、項目１１に記載のシステム。
（項目１３）
前記最適化に関するユーザデータ入力はさらに、セルガス流率のインジケーションを含む、前記項目のいずれか１つに記載のシステム。
（項目１４）
マルチモード誘導結合プラズマ質量分析計（ＩＣＰ−ＭＳ）の自動化された最適化（同調）のための方法であって、前記方法は、
コンピューティングデバイスのプロセッサによって、マルチモード誘導結合プラズマ質量分析計（ＩＣＰ−ＭＳ）上で行われるべき最適化に関するユーザデータ入力を受信するステップであって、前記ユーザデータ入力は、前記ＩＣＰ−ＭＳが動作されるべき１つまたはそれを上回る選択された動作モードの識別を含む、ステップと、
前記プロセッサによって、前記ＩＣＰ−ＭＳに対して自動化された最適化ルーチンを始動させるためのユーザ入力を受信するステップと、
前記ルーチンを始動させるためのユーザ入力の受信に続き、前記プロセッサによって、前記自動化された最適化ルーチンを行うための信号を前記ＩＣＰ−ＭＳに伝送するステップであって、前記自動化された最適化ルーチンは、前記プロセッサによって定められたシーケンス内で行われる複数のステップを含む、ステップと
を含む、方法。
（項目１５）
前記１つまたはそれを上回るモードは、（ａ）通気セルモード、（ｂ）反応セルモード、および（ｃ）衝突セルモードのうちの１つ、２つ、または全３つを含む、項目１４に記載の方法。
（項目１６）
前記ルーチンを始動させるためのユーザ入力は、グラフィカルユーザインターフェースウィジェットの「単回クリック」、キーストローク、スワイプ、および選択から成る群から選択される、少なくとも１つのアクションを含む、項目１４または１５に記載の方法。
（項目１７）
前記自動化された最適化ルーチンを行うステップをさらに含む、項目１４−１６のいずれか１つに記載の方法。
（項目１８）
前記自動化された最適化ルーチンを行うステップは、前記自動化された最適化ルーチンの間、前記ＩＣＰ−ＭＳの１つまたはそれを上回る設定を自動的に調節するステップを含む、項目１７に記載の方法。
（項目１９）
前記自動化された最適化ルーチンは、ＩＣＰ−ＭＳ性能査定サブシーケンスを含み、前記サブシーケンスは、第１の性能査定を自動的に実施し、次いで、前記第１の査定が満足のいくものである場合、第２の性能査定を実施し、逆に、前記第１の査定が満足のいかないものである場合、前記サブシーケンスを終了し、前記性能査定が失敗したと識別するステップを含み、前記第１の性能査定は、前記第２の性能査定より少ないステップを含有し、実施するためにかかる時間が短い、項目１４−１８のいずれか１つに記載の方法。
（項目２０）
前記自動化された最適化ルーチンは、複数のレベルを備え、各レベルは、それと関連付けられたステップを有し、前記ルーチンは、所与のレベルにおける先行ステップの完了時に行われる性能査定サブシーケンスが、失敗したと識別される場合、前記所与のレベルから後続レベルに進むようにプログラムされ、逆に、前記所与のレベルにおける前記先行ステップの完了時に行われる性能査定サブシーケンスが、満足がいくものと識別される場合、前記ルーチンは、前記最適化を終了するようにプログラムされる、項目１９に記載の方法。
（項目２１）
前記自動化された最適化ルーチンは、（ｉ）前記質量分析計に対するトーチ（誘導結合プラズマ）の調節／整合、（ｉｉ）四重極イオン偏向器（ＱＩＤ）の較正、（ｉｉｉ）四重極ロッドオフセット（ＱＲＯ）、（ｉｖ）噴霧器ガス流最適化、（ｖ）セルロッドオフセット（ＣＲＯ）最適化、（ｖｉ）セル入口および／または出口最適化、（ｖｉｉ）質量較正、および（ｖｉｉｉ）検出器最適化から成る群から選択される１つまたはそれを上回るステップを含む、項目１４−２０のいずれか１つに記載の方法。
（項目２２）
前記自動化された最適化ルーチンは、（ｉ）噴霧器ガス流最適化ステップ、および（ｉｉ）四重極イオン偏向器（ＱＩＤ）の較正ステップの一方または両方を含み、前記最適化ルーチンは、ステップ（ｉ）および／または（ｉｉ）と関連付けられた動的範囲最適化サブシーケンスを含み、前記動的範囲最適化サブシーケンスは、前記ＩＣＰ−ＭＳの前の最適化において識別された設定の記憶される値から判定される所定の初期範囲内の関連付けられた設定を調節することによって、前記関連付けられた最適化ステップを始動させ、最適化基準が前記所定の初期範囲内で満たされない場合、改良された性能の方向における新しい範囲を自動的に識別し、前記最適化基準が満たされるまで、後続の新しい範囲を識別し続け、次いで、後の使用のために前記対応する設定を記録するステップとを含む、項目１４−２１のいずれか１つに記載の方法。
（項目２３）
前記自動化された最適化ルーチンは、（ｉ）セルロッドオフセット（ＣＲＯ）ステップ、および（ｉｉ）セル入口／出口ステップの一方または両方を含み、前記最適化ルーチンは、ステップ（ｉ）および／または（ｉｉ）と関連付けられた正規化サブルーチンを含み、前記正規化サブルーチンは、複数の検体毎に、ある範囲の電圧にわたって、前記ＩＣＰ−ＭＳから判定されたパルス強度を正規化し、次いで、前記正規化された値を使用して、前記最適化された設定を識別することによって、前記ステップと関連付けられた最適化された設定を識別するステップを含む、項目１４−２２のいずれか１つに記載の方法。
（項目２４）
前記正規化サブルーチンはさらに、前記個別の電圧における前記正規化された値を乗算し、前記結果から最良妥協点を識別し、それによって、前記最適化された設定を識別するステップを含む、項目２３に記載の方法。
（項目２５）
前記ＩＣＰ−ＭＳは、オートサンプラを備え、前記自動化された最適化ルーチンは、（ｉ）前記最適化ルーチンの間、第１の検体溶液の使用が中止され、第２の検体溶液の使用が始動されるべき場合、そのときを識別するステップと、（ｉｉ）前記第１の検体溶液が中止され、前記第２の検体溶液の使用が始動されるべきとの識別に応じて、信号を伝送し、前記オートサンプラを介して、前記ＩＣＰ−ＭＳの最適化ルーチンにおいて、前記第２の検体溶液の自動化された導入を始動させるステップとを含む、スマートサンプリングサブルーチンを含む、項目１４−２４のいずれか１つに記載の方法。
（項目２６）
前記プロセッサによって、グラフィカルユーザインターフェース上への提示のために、前記自動化された最適化ルーチン内で行われている１つまたはそれを上回るステップを表すグラフィカルおよび／または英数字出力をレンダリングするステップを含む、項目１４−２５のいずれか１つに記載の方法。
（項目２７）
前記対応する１つまたはそれを上回るステップが前記自動化された最適化ルーチンの間に行われるにつれて、前記グラフィカルおよび／または英数字出力を前記グラフィカルユーザインターフェース上にリアルタイムで表示するステップを含む、項目２６に記載の方法。
（項目２８）
前記最適化に関するユーザデータ入力はさらに、セルガス流率のインジケーションを含む、項目１４−２７のいずれか１つに記載の方法。
（項目２９）
その上に記憶される命令を有する非一過性コンピュータ可読媒体であって、前記命令は、プロセッサによって実行されると、前記プロセッサに、
マルチモード誘導結合プラズマ質量分析計（ＩＣＰ−ＭＳ）上で行われるべき最適化に関するユーザデータ入力を受信することであって、前記ユーザデータ入力は、前記ＩＣＰ−ＭＳが動作されるべき１つまたはそれを上回る選択された動作モードの識別を含む、ことと、
前記ＩＣＰ−ＭＳに対する自動化された最適化ルーチンを始動させるためのユーザ入力を受信することと、
前記ルーチンを始動させるためのユーザ入力の受信に続き、前記自動化された最適化ルーチンを行うための信号を前記ＩＣＰ−ＭＳに伝送することであって、前記自動化された最適化ルーチンは、前記プロセッサによって定められたシーケンス内で行われる複数のステップを含む、ことと
を行わせる、非一過性コンピュータ可読媒体。
（項目３０）
前記１つまたはそれを上回るモードは、（ａ）通気セルモード、（ｂ）反応セルモード、および（ｃ）衝突セルモードのうちの１つ、２つ、または全３つを含む、項目２９に記載の非一過性コンピュータ可読媒体。
（項目３１）
前記ルーチンを始動させるためのユーザ入力は、グラフィカルユーザインターフェースウィジェットの「単回クリック」、キーストローク、スワイプ、および選択から成る群から選択される、少なくとも１つのアクションを含む、項目２９または３０に記載の非一過性コンピュータ可読媒体。
（項目３２）
前記自動化された最適化ルーチンは、ＩＣＰ−ＭＳ性能査定サブシーケンスを含み、前記サブシーケンスは、第１の性能査定を自動的に実施し、次いで、前記第１の査定が満足のいくものである場合、第２の性能査定を実施し、逆に、前記第１の査定が満足のいかないものである場合、前記サブシーケンスを終了し、前記性能査定が失敗したと識別するステップを含み、前記第１の性能査定は、前記第２の性能査定より少ないステップを含有し、実施するためにかかる時間が短い、項目２９−３１のいずれか１つに記載の非一過性コンピュータ可読媒体。
（項目３３）
前記自動化された最適化ルーチンは、複数のレベルを備え、各レベルは、それと関連付けられたステップを有し、前記ルーチンは、所与のレベルにおける先行ステップの完了時に行われる性能査定サブシーケンスが、失敗したと識別される場合、前記所与のレベルから後続レベルに進むようにプログラムされ、逆に、前記所与のレベルにおける前記先行ステップの完了時に行われる性能査定サブシーケンスが、満足がいくものと識別される場合、前記ルーチンは、前記最適化を終了するようにプログラムされる、項目３２に記載の非一過性コンピュータ可読媒体。
（項目３４）
前記自動化された最適化ルーチンは、（ｉ）前記質量分析計に対するトーチ（誘導結合プラズマ）の調節／整合、（ｉｉ）四重極イオン偏向器（ＱＩＤ）の較正、（ｉｉｉ）四重極ロッドオフセット（ＱＲＯ）、（ｉｖ）噴霧器ガス流最適化、（ｖ）セルロッドオフセット（ＣＲＯ）最適化、（ｖｉ）セル入口および／または出口最適化、（ｖｉｉ）質量較正、および（ｖｉｉｉ）検出器最適化から成る群から選択される１つまたはそれを上回るステップを含む、項目２９−３３のいずれか１つに記載の非一過性コンピュータ可読媒体。
（項目３５）
前記自動化された最適化ルーチンは、（ｉ）噴霧器ガス流最適化ステップ、および（ｉｉ）四重極イオン偏向器（ＱＩＤ）の較正ステップの一方または両方を含み、前記最適化ルーチンは、ステップ（ｉ）および／または（ｉｉ）と関連付けられた動的範囲最適化サブシーケンスを含み、前記動的範囲最適化サブシーケンスは、前記ＩＣＰ−ＭＳの前の最適化において識別された設定の記憶される値から判定される所定の初期範囲内（例えば、以前に判定された最適化された値についての所定のサイズの範囲内）の関連付けられた設定を調節することによって、前記関連付けられた最適化ステップを始動させ、最適化基準が前記所定の初期範囲内で満たされない場合、改良された性能の方向における新しい範囲を自動的に識別し、前記最適化基準が満たされるまで、後続の新しい範囲を識別し続け、次いで、後の使用のために前記対応する設定を記録するステップを含む、項目２９−３４のいずれか１つに記載の非一過性コンピュータ可読媒体。
（項目３６）
前記自動化された最適化ルーチンは、（ｉ）セルロッドオフセット（ＣＲＯ）ステップ、および（ｉｉ）セル入口／出口ステップの一方または両方を含み、前記最適化ルーチンは、ステップ（ｉ）および／または（ｉｉ）と関連付けられた正規化サブルーチンを含み、前記正規化サブルーチンは、複数の検体毎に、ある範囲の電圧にわたって、前記ＩＣＰ−ＭＳから判定されたパルス強度を正規化し、次いで、前記正規化された値を使用して、前記最適化された設定を識別することによって、前記ステップと関連付けられた最適化された設定を識別するステップを含む、項目２９−３５のいずれか１つに記載の非一過性コンピュータ可読媒体。
（項目３７）
前記正規化サブルーチンはさらに、前記個別の電圧における前記正規化された値を乗算し、前記結果から最良妥協点を識別し、それによって、前記最適化された設定を識別するステップを含む、項目２９−３６のいずれか１つに記載の非一過性コンピュータ可読媒体。
（項目３８）
前記ＩＣＰ−ＭＳは、オートサンプラを備え、前記自動化された最適化ルーチンは、（ｉ）前記最適化ルーチンの間、第１の検体溶液の使用が中止され、第２の検体溶液の使用が始動されるべき場合、そのときを識別するステップと、（ｉｉ）前記第１の検体溶液が中止され、前記第２の検体溶液の使用が始動されるべきとの識別に応じて、信号を伝送し、前記オートサンプラを介して、前記ＩＣＰ−ＭＳの最適化ルーチンにおいて、前記第２の検体溶液の自動化された導入を始動させるステップとを含む、スマートサンプリングサブルーチンを含む、項目２９−３７のいずれか１つに記載の非一過性コンピュータ可読媒体。
（項目３９）
前記自動化された最適化ルーチンは、前記プロセッサによって、グラフィカルユーザインターフェース上への提示のために、前記自動化された最適化ルーチン内で行われている１つまたはそれを上回るステップを表すグラフィカルおよび／または英数字出力をレンダリングするステップを含む、項目２９−３８のいずれか１つに記載の非一過性コンピュータ可読媒体。
（項目４０）
前記自動化された最適化ルーチンは、前記対応する１つまたはそれを上回るステップが前記自動化された最適化ルーチンの間に行われるにつれて、前記グラフィカルおよび／または英数字出力を前記グラフィカルユーザインターフェース上にリアルタイムで表示するステップを含む、項目２９−３９のいずれか１つに記載の非一過性コンピュータ可読媒体。
（項目４１）
前記最適化に関するユーザデータ入力はさらに、セルガス流率のインジケーションを含む、項目２９−４０のいずれか１つに記載の非一過性コンピュータ可読媒体。